(57)【特許請求の範囲】
【請求項１】
アノードを一端に配置し且つカソードを他端に配置する閃光放電管と、該閃光放電管の一部を内部に収容する導電性の反射傘と、筒状のコアの外周部に一次巻線及び二次巻線が巻き回されるトリガコイルと、該トリガコイルの二次巻線と反射傘とを電気的に接続する導電体とを備え、前記反射傘は、前記閃光放電管のトリガ外部電極として機能すべく、閃光放電管の外周面に当接するストロボ装置において、前記トリガコイルのコアは、閃光放電管の端部が内部に挿入され、該トリガコイルは、該トリガコイルの二次巻線に電気的に接続される二次端子部を前記反射傘に隣接する端部に備え、前記反射傘は、前記カソードから放出される電子が該カソードの近辺から放電路を形成し易くなるように、アノード及びカソード間と金属焼結体全体とを少なくとも被覆する、前記閃光放電管の外周面に当接する底部を備え、
前記導電体は、トリガコイルの二次端子部に当接する板状の第１当接部と、該第１当接部に連結され、反射傘に当接する第２当接部とを備え、該第１当接部は、前記閃光放電管を挿通する開放された凹みである挿通部を備え、該第２当接部は、前記閃光放電管の軸線方向に沿って弾性を有する帯状に形成されると共に、弾性変形することにより、反射傘の底部に当接した状態で保持され、該第１当接部と該第２当接部は、前記閃光放電管側へ屈曲して連結されることを特徴とするストロボ装置。
【請求項２】
前記第２当接部は、該閃光放電管の長手方向に沿って湾曲して形成されることを特徴とする請求項１に記載のストロボ装置。
【請求項３】
前記カソードは、先端部に金属焼結体を備え、前記トリガコイルのコアは、前記カソードの前記金属焼結体よりも他端側の部位が内部に挿入され、前記反射傘の底部は、さらに金属焼結体全体も被覆するように配置されることを特徴とする請求項１又は請求項２に記載のストロボ装置。
【請求項４】
前記カソードは、先端部に金属焼結体を備え、前記トリガコイルのコアは、前記閃光放電管の一端部が内部に挿入され、前記反射傘の底部は、さらに前記金属焼結体全体も被覆するように配置されることを特徴とする請求項１又は請求項２に記載のストロボ装置。
【請求項５】
前記閃光放電管は、その外周に透明導電膜を有しないことを特徴とする、請求項１から請求項４のいずれか１項に記載のストロボ装置。
【発明の詳細な説明】
【技術分野】
【０００１】
本発明は、例えば写真撮影に用いられるストロボ装置に関する。
【背景技術】
【０００２】
従来、ストロボ装置として、アノードを一端に配置し且つカソードを他端に配置する閃光放電管と、閃光放電管の一部を内部に収容する反射傘と、筒状のコアの外周部に一次巻線及び二次巻線が巻き回されるトリガコイルとを備えるストロボ装置が知られている。
【０００３】
斯かるストロボ装置においては、トリガコイルが反射傘の近傍に配置されていると共に、トリガコイルの二次端子部（出力端子）が反射傘に当接している（例えば、特許文献１及び２）。斯かる構成によれば、反射傘とトリガコイルとを接続するリード線を不要にできるため、リード線の接触不良により発光不良が発生するのを防止できる。
【先行技術文献】
【特許文献】
【０００４】
【特許文献１】特開平１０−１８６４６６号公報
【特許文献２】特開２００４−３３４１００号公報
【発明の概要】
【発明が解決しようとする課題】
【０００５】
ところで、特許文献１に係るストロボ装置においては、トリガコイルが反射傘の後方に配置されており、また、特許文献２に係るストロボ装置においては、トリガコイルが反射傘の下方に配置されている。したがって、何れのストロボ装置においても、装置全体の小型化に限度がある。
【０００６】
よって、本発明は、斯かる事情に鑑み、装置全体の小型化を図ることができるストロボ装置を提供することを課題とする。
【課題を解決するための手段】
【０００７】
本発明に係るストロボ装置は、アノードを一端に配置し且つカソードを他端に配置する閃光放電管と、閃光放電管の一部を内部に収容する導電性の反射傘と、筒状のコアの外周部に一次巻線及び二次巻線が巻き回されるトリガコイルと、トリガコイルの二次巻線と反射傘とを電気的に接続する導電体とを備え、反射傘は、閃光放電管のトリガ外部電極として機能すべく、閃光放電管の外周面に当接するストロボ装置において、トリガコイルのコアは、閃光放電管の端部が内部に挿入され、トリガコイルは、二次巻線に電気的に接続される二次端子部を反射傘に隣接する端部に備え、反射傘は、アノード及びカソード間を少なくとも被覆するようにして閃光放電管の外周面に当接する底部を備え、導電体は、トリガコイルの二次端子部に当接する板状の第１当接部と、第１当接部に連結され、反射傘に当接する第２当接部とを備え、第２当接部は、弾性を有する板状に形成されると共に、弾性変形することにより、反射傘の底部に当接した状態で保持されることを特徴とする。
【０００８】
斯かる構成によれば、閃光放電管の端部がトリガコイルのコアの内部に挿入されていると共に、トリガコイルにおける反射傘に隣接する端部には、二次巻線に電気的に接続される二次端子部が設けられている。また、反射傘の底部が、アノード及びカソード間を少なくとも被覆するようにして閃光放電管の外周面に当接している。
【０００９】
そして、導電体において、板状の第１当接部が、トリガコイルの二次端子部に当接していると共に、第１当接部に連結される弾性で且つ板状の第２当接部が、弾性変形することにより、反射傘の底部に当接した状態で保持されている。これにより、導電体がトリガコイルの二次端子部と反射傘の底部とを電気的に接続している。
【００１０】
また、請求項２記載の発明において、第１当接部は、閃光放電管に挿通される挿通部を備え、第２当接部は、閃光放電管に沿って帯状に形成されると共に、長手方向に沿って湾曲して形成されるのが好ましい。
【００１１】
斯かる構成によれば、第１当接部には、閃光放電管に挿通される挿通部が設けられている。これにより、第１当接部の挿通部に閃光放電管が挿通されることで、第１当接部が閃光放電管に対して位置決めされる。また、第２当接部は、閃光放電管に沿って帯状に形成されると共に、長手方向に沿って湾曲して形成されているため、弾性変形することにより反射傘の底部に当接した状態で保持される。
【００１２】
また、請求項３記載の発明において、カソードは、先端部に金属焼結体を備え、トリガコイルのコアは、閃光放電管の金属焼結体よりも他端側の部位が内部に挿入され、反射傘の底部は、さらに金属焼結体も被覆するように配置されるのが好ましい。
【００１３】
斯かる構成によれば、カソードの先端部に、金属焼結体が設けられていると共に、閃光放電管の金属焼結体よりも他端側の部位がトリガコイルのコアの内部に挿入されている。そして、アノード及びカソード間に電圧が印加されると共に、反射傘の底部にトリガパルスが印加されることで、アノード及びカソード間に電子の流れが起きる。
【００１４】
このとき、閃光放電管の外周面に当接する反射傘の底部が、アノード及びカソードだけでなくさらに金属焼結体も被覆しているため、カソードから放出される電子がカソードの近辺から放電路を形成し易くなり、その結果、閃光放電管から放射される光量を安定させることができる。
【００１５】
また、請求項４記載の発明において、カソードは、先端部に金属焼結体を備え、トリガコイルのコアは、閃光放電管の一端部が内部に挿入され、反射傘の底部は、さらに金属焼結体も被覆するように配置されるのが好ましい。
【００１６】
斯かる構成によれば、カソードの先端部に、金属焼結体が設けられていると共に、閃光放電管の一端部がトリガコイルのコアの内部に挿入されている。そして、アノード及びカソード間に電圧が印加されると共に、反射傘の底部にトリガパルスが印加されることで、アノード及びカソード間に電子の流れが起きる。
【００１７】
このとき、閃光放電管の外周面に当接する反射傘の底部が、アノード及びカソード間だけでなくさらに金属焼結体も被覆しているため、カソードから放出される電子がカソードの近辺から放電路を形成し易くなり、その結果、閃光放電管から放射される光量を安定させることができる。
【発明の効果】
【００１８】
以上の如く、本発明に係るストロボによれば、装置全体の小型化を図ることができるという優れた効果を奏する。
【図面の簡単な説明】
【００１９】
【図１】本発明の一実施形態に係るストロボ装置の全体斜視図
【図２】同実施形態に係るストロボ装置の図１のＡ−Ａ線における全体断面図
【図３】同実施形態に係るストロボ装置の全体分解斜視図
【図４】同実施形態に係るストロボ装置の要部分解斜視図
【図５】同実施形態に係るストロボ装置の要部図であって、（ａ）は斜視図、（ｂ）は正面図
【図６】同実施形態に係るストロボ装置の要部図であって、（ａ）は正面図、（ｂ）は斜視図
【図７】同実施形態に係るストロボ装置の要部図であって、（ａ）は斜視図、（ｂ）は別方向から見た斜視図
【発明を実施するための形態】
【００２０】
以下、本発明に係るストロボ装置における一実施形態について、図１〜図７を参酌して説明する。
【００２１】
図１〜図７に示すように、本実施形態に係るストロボ装置１は、光を放射し、その外周に透明導電膜を有しない閃光放電管２と、閃光放電管２の一部を内部に収容し、閃光放電管２のトリガ外部電極として機能する導電性の反射傘３と、閃光放電管２の他端部に配置されるトリガコイル４と、反射傘３とトリガコイル４とを電気的に接続する導電体５とを備える。また、ストロボ装置１は、反射傘３を収容するベース６と、閃光放電管２の一端部をベース６に固定させる固定手段７と、透光性を有し、反射傘３を覆う光学パネル８とを備える。
【００２２】
閃光放電管２は、内部にキセノン等の希ガスが所定圧力で封入されている管状のガラスバルブ９と、一端に配置されるアノード１０と、他端に配置されるカソード１１とを備える。そして、閃光放電管２は、封入されているガスに電子が衝突することで発生する光を外部に放射するように構成されている。
【００２３】
アノード１０は、棒状電極であって、ガラスビード（図示しない）を介して溶着されることで、ガラスバルブ９の一端部に挿通状態で固定される。また、カソード１１は、ガラスビード（図示しない）を介して溶着されることで、ガラスバルブ９の他端部に挿通状態で固定される棒状電極１２と、先端部に配置され、棒状電極１２の端部に固定される金属焼結体１３とを備える。
【００２４】
反射傘３は、閃光放電管２のトリガ外部電極として機能すべく、閃光放電管２の外周面に当接する底部１４と、閃光放電管２から放射された光を外部に放射する開口部１５とを備える。また、反射傘３は、閃光放電管２から放射された光を開口部１５に向けて反射する側面反射部１６と、閃光放電管２を内部に収納する凹状の装着部１７とを備える。
【００２５】
底部１４は、アノード１０及びカソード１１間を被覆するようにして閃光放電管２の外周面に当接する基部１８を備える。そして、底部１４は、基部１８から閃光放電管２の軸線方向に延伸され、カソード１１の金属焼結体１３を被覆するようにして閃光放電管２の外周面に当接する延長部１９を備える。
【００２６】
基部１８は、円弧状に形成されている。具体的には、基部１８は、ガラスバルブ９の外周面に面接触すべく、ガラスバルブ９の径と略同径の円弧状に形成されている。そして、基部１８は、閃光放電管２から放射された光を反射する反射板として機能すると共に、閃光放電管２のトリガ外部電極としても機能する。
【００２７】
延長部１９は、円弧状に形成されている。具体的には、延長部１９は、ガラスバルブ９の外周面に面接触すべく、ガラスバルブ９の径と略同径の円弧状に形成されている。そして、延長部１９は、基部１８から延長されることで、基部１８と同様に、閃光放電管２のトリガ外部電極として機能する。
【００２８】
トリガコイル４は、筒状のコア２０と、コア２０の外周部に巻き回される一次巻線２１と、一端部が一次巻線２１の他端部に接続され、コア２０の外周部に巻き回される二次巻線２２とを備える。また、トリガコイル４は、一次巻線２１の一端部に接続される一次端子部２３と、一次巻線２１の他端部及び二次巻線２２の一端部に接続される共通端子部２４と、二次巻線２２の他端部に接続される二次端子部２５とを備える。
【００２９】
コア２０は、閃光放電管２を軸線方向で位置決めすべく、径方向内方に突出して閃光放電管２の他端部を係止する係止部２６を備える。そして、コア２０は、閃光放電管２におけるカソード１１の金属焼結体１３よりも他端側の部位が内部に挿入されている。なお、コア２０は、磁性体であって、具体的には、フェライトコアである。
【００３０】
一次巻線２１は、コア２０の他方側に配置されると共に、二次巻線２２は、コア２０の一方側、即ち、コア２０における反射傘３と隣接する側に配置されている。また、一次端子部２３と共通端子部２４とは、外部端子となるように、棒状に突設されている。なお、共通端子部２４は、閃光放電管２のカソード１１と電気的に接続されている。そして、二次端子部２５は、環状で且つ板状に形成されていると共に、トリガコイル４（コア２０の軸線方向）の一端部、具体的には、反射傘３に隣接される端部に配置されている。
【００３１】
導電体５は、トリガコイル４の二次端子部２５に当接する板状の第１当接部２７と、第１当接部２７に連結され、反射傘３に当接する板状の第２当接部２８とを備える。第１当接部２７と第２当接部２８は、閃光放電管２の側へ屈曲して連結されている。そして、第１当接部２７は、閃光放電管２に挿通される挿通部２９を備える。具体的には、第１当接部２７は、開放された凹みである挿通部２９を備え、略Ｕ字状に形成されている。
【００３２】
第２当接部２８は、弾性を有する板状に形成されている。具体的は、第２当接部２８は、閃光放電管２の軸線方向に沿って帯状に形成されると共に、長手方向に沿って湾曲して円弧状に形成されている。そして、第２当接部２８は、弾性変形した状態でその復元力（付勢力）により、反射傘３の底部１４とベース６との間で保持されている。なお、第２当接部２８は、湾曲形状の凸部が反射傘３の底部１４に当接している。
【００３３】
ベース６は、第２当接部２８を保持する保持部３０を備える。そして、保持部３０は、反射傘３の底部１４とにより、第２当接部２８を挟持している。また、ベース６は、光学パネル８に嵌合される。なお、ベース６は、絶縁性を有して形成されている。
【００３４】
固定手段７は、閃光放電管２のアノード１０に接続される接続部３１と、接続部３１と電気的に接続され、外部端子となるように板状に突設されるアノード端子部３２とを備える。そして、接続部３１は、半田付けにより、閃光放電管２のアノード１０に固着されている。
【００３５】
本実施形態に係るストロボ装置１の構成については以上の通りであり、次に、本実施形態に係るストロボ装置１の作用について説明する。
【００３６】
まず、アノード１０及びカソード１１に電圧が印加されると共に、反射傘３の底部１４にトリガパルスが印加される。これにより、反射傘３の基部１８及び延長部１９に当接するガラスバルブ９の内周付近でガラスバルブ９に封入されているガスが活性化されて電離する。
【００３７】
そして、カソード１１からも電子が放出されて電離を一層強め、電離したガスが電気を良く通すようになる。これにより、アノード１０からカソード１１に一挙に大きな電流が流れ、閃光放電管２が光を外部に照射する。このとき、トリガパルスが延長部１９に印加されているため、カソード１１から放出される電子がカソード１１の近辺から放電路を形成する。
【００３８】
以上より、本実施形態に係るストロボ装置１によれば、閃光放電管２の他端部がトリガコイル４のコア２０の内部に挿入されていると共に、トリガコイル４の一端部には、二次巻線２２に電気的に接続される二次端子部２５が設けられている。
【００３９】
また、反射傘３の底部１４が、アノード１０及びカソード１１間を少なくとも被覆するようにして閃光放電管２の外周面に当接している。そして、板状の第１当接部２７が、トリガコイル４の二次端子部２５に当接していると共に、第１当接部２７に連結される弾性で且つ板状の第２当接部２８が、弾性変形することにより、反射傘３の底部１４に当接した状態で保持されている。
【００４０】
したがって、ストロボ装置１の装置全体の小型化を図ることができる。また、導電体５を介して、トリガコイル４の二次端子部２５と反射傘３の底部１４とを確実に電気的に接続することができる。しかも、トリガ出力端子である二次端子部２５と、閃光放電管２との距離を極めて小さくできるため、電力のロスを低減させることもできる。
【００４１】
また、本実施形態に係るストロボ装置１によれば、第１当接部２７には、閃光放電管２に挿通される挿通部２９が設けられている。これにより、第１当接部２７の挿通部２９に閃光放電管２が挿通されることで、第１当接部２７が閃光放電管２に対して位置決めされる。また、第２当接部２８は、閃光放電管２に沿って帯状に形成されると共に、長手方向に沿って湾曲して形成されているため、弾性変形することにより反射傘３の底部１４に当接した状態で保持される。
【００４２】
また、本実施形態に係るストロボ装置１によれば、閃光放電管２の金属焼結体１３よりも他端側の部位がトリガコイル４のコア２０の内部に挿入されている。そして、アノード１０及びカソード１１間に電圧が印加されると共に、反射傘３の底部１４にトリガパルスが印加されることで、アノード１０及びカソード１１間に電子の流れが起きる。
【００４３】
このとき、閃光放電管２の外周面に当接する反射傘３の底部１４が、アノード１０及びカソード１１だけでなくさらに金属焼結体１３も被覆しているため、カソード１１から放出される電子がカソード１１の近辺から放電路を形成し易くなる。これにより、閃光放電管２から放射される光量を安定させることができる。
【００４４】
なお、本発明に係るストロボ装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４５】
例えば、上記実施形態に係るストロボ装置１においては、閃光放電管２の表面に薄膜透明電極が設けられていない構成を説明したが、斯かる構成に限られず、閃光放電管２の表面に薄膜透明電極が設けられている構成でもよい。斯かる構成であっても、閃光放電管２の外周面に当接する反射傘３の底部１４が、アノード１０及びカソード１１間と金属焼結体１３とを少なくとも被覆することにより、閃光放電管２から放射される光量を安定させることができる。
【００４６】
また、上記実施形態に係るストロボ装置１においては、閃光放電管２の他端部がトリガコイル４のコア２０の内部に挿入される構成を説明したが、斯かる構成に限られない。例えば、閃光放電管２の一端部がトリガコイル４のコア２０の内部に挿入される構成でもよい。
【００４７】
また、上記実施形態に係るストロボ装置１においては、延長部１９が円弧状に形成されている構成を説明したが、斯かる構成に限られない。例えば、延長部１９は、平板状に形成されている構成でもよい。
【００４８】
また、上記実施形態に係るストロボ装置１においては、第１当接部２７は、開放された凹みである挿通部２９を備え、略Ｕ字状に形成されている構成を説明したが、斯かる構成に限られない。例えば、第１当接部２７は、閉塞された開口である挿通部２９を備え、円環状、即ち、略Ｏ字状に形成されている構成でもよい。
【００４９】
また、上記実施形態に係るストロボ装置１においては、第２当接部２８は、長手方向に沿って湾曲して円弧状に形成される構成を説明したが、斯かる構成に限られない。例えば、第２当接部２８は、長手方向に沿って複数の凹凸部を備える形状、即ち、波形状に形成される構成でもよい。
【産業上の利用可能性】
【００５０】
本発明に係るストロボ装置は、装置全体の小型化を図ることができる効果を有し、例えば写真撮影に用いられるストロボ装置として有用である。
【符号の説明】
【００５１】
１  ストロボ装置
２  閃光放電管
３  反射傘
４  トリガコイル
５  導電体
６  ベース
７  固定手段
８  光学パネル
９  ガラスバルブ
１０  アノード
１１  カソード
１２  棒状電極
１３  金属焼結体
１４  底部
１５  開口部
１６  側面反射部
１７  装着部
１８  基部
１９  延長部
２０  コア
２１  一次巻線
２２  二次巻線
２３  一次端子部
２４  共通端子部
２５  二次端子部
２６  係止部
２７  第１当接部
２８  第２当接部
２９  挿通部
３０  保持部
３１  接続部
３２  アノード端子部
【図１】
0005919461.tif 000002
【図２】
0005919461.tif 000003
【図３】
0005919461.tif 000004
【図４】
0005919461.tif 000005
【図５】
0005919461.tif 000006
【図６】
0005919461.tif 000007
【図７】
0005919461.tif 000008